(57)【要約】【課題】電子商取引で銀行振込を選択した場合、簡単に振込を行うシステムを提供する。【解決手段】電子モールサーバ１２０と、これと関連付けされ電子モールの利用者１００が電子商取引に用いる利用者側端末１１０と、電子商取引の決済を行う決済機関の決済端末１４０と、を有する電子決済システムであって、電子モールサーバ１２０は、決済機関又は複数の決済機関候補を提示した情報を含み電子商取引に関する電子請求書を作成する第１処理装置２７０を有し、利用者端末１１０は、複数の決済機関候補が提示されている場合に、その中から利用する決済機関を選択する入力装置２３０と、電子請求書を受け取り、それを電子モールサーバ１２０の指定又は入力装置２３０により選択された決済機関において決済が可能な情報に変換し利用者端末１１０に挿入された記録媒体１３０に格納する第２処理装置２２０とを有し、決済端末１４０は、記録媒体１３０中に格納された情報に基づいて決済処理を行う。【選択図】  図１
2004171245.tif 000002
【特許請求の範囲】
【請求項１】
電子モールサーバと、該電子モールサーバと関連付けされ電子モールの利用者が電子商取引に用いる利用者側端末と、前記電子商取引の決済を行う決済機関の決済端末と、を有する電子決済システムであって、
前記電子モールサーバは、前記決済機関又は複数の決済機関候補を提示した情報を含み前記電子商取引に関する電子請求書を作成する第１処理装置を有し、
前記利用者端末は、複数の前記決済機関候補が提示されている場合に、複数の前記決済機関候補中から利用する決済機関を選択する入力装置と、前記電子請求書を受け取り、該電子請求書を前記電子モールサーバの指定又は前記入力装置により選択された決済機関において決済が可能な情報に変換し前記利用者端末に挿入された記録媒体に格納する第２処理装置とを有し、
前記決済端末は、前記記録媒体中に格納された情報に基づいて決済処理を行う決済処理部を有する
ことを特徴とする電子決済システム。
【請求項２】
電子モールサーバと、該電子モールサーバと関連付けされ電子モールの利用者が電子商取引に用いる利用者側端末と、前記電子商取引の決済を行う決済機関の決済端末と、を有する電子決済システムであって、
前記電子モールサーバは、利用者との間の電子商取引とその決済とに関連する管理情報を保持する管理データベースと、前記管理情報に基づいて前記決済機関又は複数の決済機関候補を提示した情報を含み前記電子商取引に関する電子請求書を作成する第１処理装置と、前記電子商取引を行うとともに前記電子請求書を利用者に対して発行する第１通信装置とを有し、
前記利用者端末は、複数の前記決済機関候補が提示されている場合に、複数の前記決済機関候補中から利用する決済機関を選択する入力装置と、前記電子モールサーバとの間で通信を行う第２通信装置であって、前記入力装置で選択した決済機関の情報を送るとともに、前記入力装置で選択した決済機関の情報が反映された新たな電子請求書を前記電子モールサーバから受け取る第２通信装置と、該新たな電子請求書の内容を前記利用者端末に挿入された記録媒体に格納する第２処理装置とを有し、
前記決済端末は、前記記録媒体中に格納された前記新たな電子請求書の内容に基づいて決済処理を行う決済処理部を有する
ことを特徴とする電子決済システム。
【請求項３】
利用者側端末との間で電子商取引を行う電子モールサーバであって、
利用者との間の電子商取引とその決済とに関連する管理情報を保持する管理データベースと、前記管理情報に基づいて前記決済機関又は複数の決済機関候補を提示した情報を含み前記電子商取引に関する電子請求書を作成する第１処理装置と、前記電子商取引を行うとともに、利用者に対して前記電子請求書を発行する第１通信装置と
を有する電子モールサーバ。
【請求項４】
電子モールサーバとの間で電子商取引を行う利用者側端末であって、
前記電子モールサーバが複数の決済機関に対応している場合に、前記電子モールサーバから提示された複数の前記決済機関中から決済機関を選択する入力装置と、前記電子モールサーバとの間で通信を行う第２通信装置であって、前記入力装置で選択した決済機関の情報を送る第２通信装置と、前記入力装置で選択した決済機関の情報が反映された新たな電子請求書を前記電子モールサーバから受け取り、前記新たな電子請求書の内容を前記利用者端末に挿入された記録媒体に格納する第２処理装置と
を有する利用者端末。
【請求項５】
電子モールサーバと利用者端末との間で行われた電子商取引に基づいて作成され前記電子商取引の決済に利用できる決済機関と関連付けされた決済端末であっって、
前記決済機関に関する情報を含む電子請求書を格納した記憶媒体中から、決済に必要な情報を受け取るインターフェイス部と、
決済処理に関連する入力操作を行う入力部と、
前記入力操作に応じて前記インターフェイス部を介して読み出された前記決済に必要な情報に基づいて決済処理を実行する決済処理部と
を有する決済端末。
【請求項６】
電子モールサーバと、該電子モールサーバと関連付けされ電子モールの利用者が電子商取引に用いる利用者側端末と、前記電子商取引の決済を行う決済機関の決済端末と、の間における決済方法であって、
前記電子モールサーバが、決済に関する情報であって指定された決済機関又は複数の決済機関候補を含む電子請求書を前記利用者端末に対して送る第１ステップと、
前記利用者端末が記録媒体の挿入を検知し、前記第１ステップにおいて前記電子モールサーバから送られた前記電子請求書中において複数の決済機関が指定されている場合に、前記決済機関候補中から実際に決済する決済機関を選択し、前記電子請求書を、前記指定された決済機関又は前記決済機関候補中から選択された決済実行機関において決済が可能な形態にして前記記録媒体に格納する第２ステップと、
前記第２ステップにおいて選択された決済端末が、前記記憶媒体の挿入を検知し、決済を実行するステップと
を含む電子決済方法。
【発明の詳細な説明】
【０００１】
【発明の属する技術分野】
本発明は、商品等の購入の際に発行される請求書と、請求書に基づく支払方法に関し、特に、インターネットショッピングなどの電子商取引を利用する際における決済を簡単にする電子決済システムに関する。
【０００２】
【従来の技術】
インターネットの普及に伴って、消費者が電子モールを利用して買い物をするインターネットショッピングが普及しつつある。インターネットショッピングの際の決済手段としては、クレジットカードによる決済、代金引換（代引）、銀行振込などが主流である。クレジットカードによる決済は、その場での決済が可能であり、簡単かつ便利である。しかしながら、クレジットカードを保有していない人やクレジットカード番号がインターネット上に流れることに不安に感じる人は、代引や銀行振込を利用する場合も多い。簡易な振込システムとしては、振込先から振込人に対して振込先情報を予め通知することで利用者の振込先情報指定の手間を軽減させることができる（例えば、特許文献１参照）。
【特許文献１】
特開２００１−３１９２５９号公報
【０００３】
【発明が解決しようとする課題】
しかしながら、上記特許文献１においては、振込先情報を銀行システム側で管理している。銀行振込の場合、利用者は店舗指定の銀行口座にＡＴＭおよびインターネットバンキング等を利用して振込を行う。その際、指定された銀行名、支店名、口座番号、口座種別（普通、当座）、金額等を入力するのに手間がかかり、時には入力ミスにより別の口座に振込をしてしまう可能性もある。また、簡易な振込方法として振込カードを利用しＡＴＭ等の決済端末において振込を行う方法も存在する。しかしながら、インターネットショッピングにおいては、同一店舗ではなく、様々な店舗で商品等を購入する場合も多いため、振込カードを用いる方法が有効とは言えない。
本発明は、利用者による入力操作に煩雑さや入力ミスを低減し、簡易に振込を行える方法を提供することを目的とする。
【０００４】
【課題を解決するための手段】
本発明の一観点によれば、電子モールサーバと、該電子モールサーバと関連付けされ電子モールの利用者が電子商取引に用いる利用者側端末と、前記電子商取引の決済を行う決済機関の決済端末と、を有する電子決済システムであって、前記電子モールサーバは、前記決済機関又は複数の決済機関候補を提示した情報を含み前記電子商取引に関する電子請求書を作成する第１処理装置を有し、前記利用者端末は、複数の前記決済機関候補が提示されている場合に、複数の前記決済機関候補中から利用する決済機関を選択する入力装置と、前記電子請求書を受け取り、該電子請求書を前記電子モールサーバの指定又は前記入力装置により選択された決済機関において決済が可能な情報に変換し前記利用者端末に挿入された記録媒体に格納する第２処理装置とを有し、前記決済端末は、前記記録媒体中に格納された情報に基づいて決済処理を行う決済処理部を有することを特徴とする電子決済システムが提供される。
【０００５】
上記電子決済システムによれば、電子モールサーバが電子商取引の決済に利用可能な決済機関を複数提示している場合に、利用者端末において決済機関を選択し、この決済機関において決済可能な形態の電子請求書が電子モールサーバから利用者端末に送られる。利用者端末では、上記電子請求書をダウンロードし、この電子請求書を記憶媒体に格納する。決済端末に記憶媒体を挿入すると、決済に必要な情報が決済端末に読みとられ、決済における作業が軽減される。
【０００６】
【発明の実施の形態】
本明細書において、電子モールサーバとは、店舗（電子モール）が管理するサーバを指す。電子モールとは、電子商取引を行うことができる店舗を指し、実際には、電子モールサーバにより管理されている。以下、電子モールサーバに関して電子モールと略して記載することがある。電子請求書とは、店舗（電子モール）から利用者に請求書のフォーマットで送られてくる電子情報である。電子振込書とは、決済端末で振込処理を行うことが出来るように振込依頼書の形態にフォーマット変換された電子情報である。例えば、電子振込書とは、ＩＣカードに格納する段階における電子情報であって、電子請求書からフォーマット変換されたものである。尚、電子請求書と電子振込書とが同じ内容又は同様の形態である場合も含まれる。
【０００７】
本発明の実施の形態について説明する前に、発明者の行った考察について、まず説明する。インターネットショッピング利用時の支払手段において銀行振込を選択した際、ＡＴＭ等の決済端末による入力操作が煩わしい。そこで、インターネットショッピングで銀行振込を選択した場合、店舗（振込先）が利用者（振込元）に対して、電子的な請求書（以下、電子請求書と称する。）を送付（利用者が電子モールのホームページからのダウンロード）する。この電子請求書には、振込に必要な情報、例えば、銀行名や口座番号、そして店舗の証明書である電子署名等の情報を含めるのが好ましい。さらに、金額や有効期限を設定することも可能である。利用者は決済形態などに関する自己の希望を反映することができれば便利である。利用者は入手した電子請求書をパーソナルコンピュータＰＣなどの利用者端末からＩＣカードなどの記憶媒体内にダウンロードし、ＡＴＭ等の決済端末で決済（振込など）が可能な状態にする。この際、ＰＣの代わりに通信機能と情報記録機能とを有する携帯電話などを用いることも可能である。携帯電話などの携帯端末をＩＣカードの代わりに用いることも可能である。以下、これらを代表してＩＣカードと称することがある。
【０００８】
電子請求書を格納したＩＣカード（記憶媒体）を保持して、利用者はＡＴＭ等の決済端末により振込情報を入力することなく、振込を行うことができる。或いは、電子請求書に基づいて作成された電子振込書情報を記録媒体中に記録させておくことも可能である。インターネットショッピング利用時に店舗が振込先情報を含んだ電子請求書を利用者に送付し、利用者がその電子請求書又は電子振込書をＩＣカード（記憶媒体）内に格納することにより、自分で振込に必要な情報を入力する必要がなく、振込を行うことができる。
【０００９】
上記考察に基づき、以下に本発明の実施の形態について図面を参照して説明する。図１は、本発明の一実施の形態による簡易決済システムの概略図である。
本発明の一実施の形態による簡易決済システムは、利用者１００が利用する操作端末（利用者端末）１１０（以下、ＰＣとする）と、店舗（電子モール）が管理する電子モールサーバ１２０と、ＡＴＭなどの決済機関（金融機関）の決済端末１４０と、を含んで構成される。利用者１００は、商品を購入する目的で、ＰＣ１１０を用いて電子モールサーバ１２０にアクセスし、購入する商品を選択する。その後、利用者１００はＰＣ１１０を用いて、配送先指定等の購入に必要な情報を入力し、購入手続きを行う。
【００１０】
購入手続きの際、決済手段として銀行振込決済を選択する場合であって、店舗（電子モール）が複数の決済機関（金融機関）に対応している場合は、対応可能な金融機関名を利用者１００に提示して所望の金融機関を選択させる。尚、複数の決済機関（金融機関）に対応している場合とは、一般的には、その金融機関に取引口座などを有している場合をいう。
【００１１】
店舗（電子モール）１２０においては、受取人（店舗名）、連絡先および選択された金融機関１５０の金融機関名、支店名、科目、口座番号、有効期限、振込金額が設定された電子請求書を作成する。その電子請求書には店舗（電子モール）１２０の真正性（信頼性）を証明するための電子署名が付される。
【００１２】
電子請求書の作成が終了すると、店舗（電子モール）１２０は、その電子請求書を送る旨を利用者１００に通知する。利用者１００はＰＣ１１０を用いて、電子請求書に対応する情報内容をダウンロードしＩＣカード１３０内に格納する。利用者１００は、購入時に選択した金融機関１５０と取引を行うことができる決済端末１４０を用いて、上記電子請求書に基づき振込みを行うことができる。詳細は後述する。利用者１００による振込が終了すると、金融機関１５０は店舗（電子モール）１２０に対して入金処理を行う。
【００１３】
図２は、電子請求書をＩＣカード内に格納するために必要なシステム構成を示す図である。図１、図２に示すように、利用者１００の操作するＰＣ（利用者端末）１１０は、ＩＣカードＲ／Ｗ（リーダ／ライタ）２００と、出力装置（ディスプレイ）２１０と、処理装置（第２処理装置）２２０と、入力装置（キーボード）２３０と、通信装置（第２通信装置）２４０とを含んで構成される。処理装置２２０には、出力装置２１０に表示するための出力処理部２２１と、ＩＣカード内の記録媒体内に格納された情報の読込みを行うための読込み処理部２２２と、ＩＣカード内の記録媒体に対して情報の書込みを行うための書込み処理部２２３と、入力装置２３０からの情報を扱う入力処理部２２４と、を有している。例えば、書き込み処理部２２３中に、後述する変換部２２３ａであって、電子請求書を電子振込書の形態に変換する変換部２２３ａを設けても良い。Ｒ／Ｗ２００により、ＰＣ１１０から電子請求書をＩＣカード１３０内に格納する。
【００１４】
アクセス先である店舗（電子モール）１２０側の端末（サーバ）は、通信部（第１通信装置）２５０と、出力装置（ディスプレイ）２６０と、処理装置２７０（第１処理装置）と、入力装置（キーボード）２８０と、管理ＤＢ（データベース）２９０とを含んで構成されている。
【００１５】
処理装置２７０は、出力処理部２７１と、読込み処理部２７２と、書込み処理部２７３と、入力処理部２７４とを有しており、管理ＤＢは、例えば、顧客情報２９１と、店舗情報２９２と、取引金融機関情報２９３と、請求状況一覧２９５と、入金状況一覧２９４とのデータを保有している。
【００１６】
図３は、電子請求書が格納されたＩＣカードによる振込処理を行う決済端末の構成の一例を示す図である。決済端末３００は、利用者１００が振込を行うために必要な表示部兼入力部（タッチパネル）３０１と、カード入出口（インターフェイス部）３０２と、硬貨入出口３０３と、音声出力部３０４と、紙幣入出口３０５とを含んでおり、内部には、ＣＰＵ３０６と、ＲＯＭ３０７と、ＲＡＭ３０８と、通信部３０９と、カード処理部３１０と、硬貨処理部３１１と、紙幣処理部３１２と、印字部３１３とを含んで構成されている。通信部３０９は、ホストコンピュータ３２０と接続されており、口座情報等を管理する管理ＤＢ３３０との連携が可能である。
【００１７】
図４は、店舗（電子モール）が作成する電子請求書情報に基づいて作成され、ユーザが振込を行う際に便利なようにＩＣカード内に格納された電子請求書のデータ構成を示す図である。電子請求書４００は、例えば、受取人（店舗名）４０１と、連絡先４０２と、金融機関名４０３と、支店名４０４と、科目（口座種別など）４０５と、口座番号４０６と、有効期限４０７と、振込金額（請求金額）４０８と、のデータ群を有しており、店舗の真正性を証明するために必要な電子署名４０９を有している。
【００１８】
図５は、本実施の形態による電子請求書の内容をＩＣカードに格納する際に表示される画面の一例を示す図である。店舗（電子モール）１２０から電子請求書４００をダウンロードする旨の通知があると、利用者１００は、店舗（電子モール）１２０のダウンロードサイトへアクセスし、ＩＣカード１３０内に電子請求書の内容をダウンロードする処理を行う。
【００１９】
まず、図５（Ａ）に示すように、ダウンロード開始確認画面５００において、ＯＫボタンを押すと、図５（Ｂ）のＩＣカード挿入指示画面５０１に遷移し、格納する電子請求書を選択する画面５０２になる（図５（Ｃ））。図５（Ｃ）では、振込済みの商品に関しては、「済」が付され、電子請求書は作成できなくなる。尚、既にダウンロード済の請求書には、店舗（電子モール）１２０側でフラグを持っており、再ダウンロードすることはできないようになっている。次に、図５（Ｄ）に示すように、格納する電子請求書を選択をすると、実行確認画面５０３となり、ユーザの選択により必要な情報がダウンロードされる。ダウンロード処理の実行中は、処理実行中である旨を表す画面５０４が表示され（図５（Ｅ））、ダウンロードが完了すると、終了画面５０５（図５（Ｆ））に遷移する。
【００２０】
本実施の形態における一連の処理手順を図６から図８までを参照してより詳細に説明する。利用者１００は、インターネット接続可能なＰＣ１１０等の端末を用いて、インターネット上の電子モール１２０にアクセスする（ステップ６０１）。次に店舗（電子モール）１２０内の商品を閲覧して、希望する商品を選択する（ステップ６０２）。購入する商品が決定すると、購入者自身の名前や住所等の個人情報の入力や商品の配送先指定等の項目を入力する購入手続きを開始する（ステップ６０３）。その後、決済手段選択画面が表示され、利用者１００は、決済手段として銀行振込を選択する（ステップ６０４）。続いて、銀行振込先の金融機関１５０を選択する。店舗（電子モール）１２０で複数の金融機関１５０に対応している場合、すなわち、取引口座などを有している場合、利用者１００は提示された金融機関の中から所望の金融機関を選択することができる（ステップ６０５）。一連の入力をすると購入手続き終了となり、図７に示すように、利用者１００は、店舗（電子モール）１２０からの電子請求書通知待ちの状態になる（ステップ６０６）。
【００２１】
店舗（電子モール）１２０では、利用者１００に対して電子請求書４００の作成を行う。電子請求書４００には、利用者１００が選択した金融機関１５０に対応したフォーマットで、例えば、振込先の金融機関名４０３、支店名４０４、科目４０５、口座番号４０６、有効期限４０７、振込金額（請求金額）４０８に加えて、受取人（店舗名）４０１、連絡先４０２の情報が格納されている。さらに、電子請求書４００には、店舗（電子モール）１２０が信頼性の有る店舗である旨を証明する電子署名４０９が付加されている。これにより、改竄、否認、なりすまし等を防ぐことができる（ステップ６０７）。電子請求書４００の作成が終了すると、店舗（電子モール）１２０は、利用者１００に対して電子請求書４００のダウンロード通知を行う。
【００２２】
メール等の伝達手段を用いて、利用者１００へダウンロードサイトのアドレスを通知する（ステップ６０８）。利用者１００は、店舗（電子モール）１２０からの通知を受け取ると（ステップ６０９）、Ｒ／Ｗ２００接続されたＰＣ１１０を利用して電子請求書ダウンロードサイトへアクセスする（ステップ６１０）。電子請求書ダウンロードサイトに入ると、ダウンロード開始確認画面５００が表示される。ここでＯＫボタンを押してダウンロードを開始する（ステップ６１１）。続いて、ＩＣカード挿入指示画面５０１（図５（Ｂ））が表示され、指定した金融機関１５０のＩＣカード１３０を挿入してＯＫボタンを押す（ステップ６１２）。
【００２３】
図８に示すように、上記操作に応じて、ＩＣカード１３０内に格納する電子請求書４００を選択する画面５０２（図５（Ｃ））に遷移する。画面５０２に表示される電子請求書一覧には、ダウンロード済及び未ダウンロードを示すフラグが存在し、これにより、二重ダウンロードを防止することが出来る。また、未ダウンロードの電子請求書４００が複数存在する場合には、複数を選択してダウンロードすることが可能である。利用者１００は、一覧の中からダウンロードする電子請求書４００を選択して、ＯＫボタンを押す（ステップ６１３）。ダウンロードする電子請求書４００を選択すると、ＩＣカード１３０に格納する前に電子署名４０９の検証を行う（ステップ６１４）。電子署名４０９の検証による改竄、なりすまし等の不正が見つからなければ、Ｒ／Ｗ２００に挿入されたＩＣカード１３０にアクセスし、電子請求書４００のダウンロードを開始する（ステップ６１５）。
【００２４】
電子請求書４００のダウンロード実行処理中は、実行処理中であることを表す画面５０４（図５（Ｅ））が表示されており、ダウンロードが終了すると終了画面５０５に遷移する（ステップ６１６）。ダウンロードが終了すると、この電子請求書の内容をＩＣカード１３０内に格納する。利用者１００は、Ｒ／Ｗ２００に挿入したＩＣカード１３０を取り出す（ステップ６１７）。これにより、ＩＣカード１３０を用いて決済が可能な形態となる。
【００２５】
利用者１００は、電子請求書の内容を記録したＩＣカード１３０を持って選択した金融機関１５０に対応した決済端末１４０が存在する場所へ行き、振込作業を開始する（ステップ６１８）。まず利用者１００は、ＩＣカード１３０を決済端末１４０のカード入出口３０２に挿入する（ステップ６１９）。次いで、決済端末１４０の表示部３０１に表示された振込処理ボタンを選択する（ステップ６２０）。
【００２６】
決済端末１４０は、挿入されたＩＣカード１３０内に格納された電子請求書情報を読出し（ステップ６２１）、そこに格納されている振込先データに基づいて振込処理を開始する（ステップ６２２）。その後は、決済端末１４０の音声出力部３０４から流れる案内などに従って、硬貨入出口３０３や紙幣入出口３０５から入金する。入金を自分の口座から行いたい場合は、暗証番号入力等の所定手続きをする必要がある。入金が確認されると、決済端末１４０における振込処理が終了する（ステップ６２３）。振込処理が終了すると、決済端末１４０のカード入出口３０２からＩＣカード１３０が排出され（ステップ６２４）、電子振込書による振込作業が終了する（ステップ６２５）。
【００２７】
上記の振込処理に加えて、ＩＣカード１３０内に格納された電子振込書に対して、決済終了時に決済済みのフラグを設けることにより、ＰＣ１１０及び決済端末１４０において利用者１００がどの電子振込書に関する振込を行ったのかを確認することが可能である。また、振込と同時にオンラインで店舗（電子モール）１２０への入金が確認された場合、電子振込書の領域に決済完了通知としての仮の電子領収書が送られる。店舗（電子モール）より入金が確認されると、その旨の情報が利用者に送られ、仮の電子領収書が真の電子領収書に変換される。真の電子領収書をダウンロードすることもできる。利用者は仮の電子領収書を保持することにより、振込処理が終了していることを証明することができ、安心感を得ることが出来る。
【００２８】
次に、本実施の形態の第１変形例による電子決済システムについて図１０（図８に対応する）を参照して説明する。本第１変形例では、利用者端末（ＰＣ）１１０内の書込み処理部２２３に、電子請求書４００に関する情報に基づいて、例えば図４に示す電子振込情報（電子振込書）の形態に変換処理を行う変換部２２３ａが設けられており、利用者端末１１０の変換部２２３ａが変換処理（ステップ６１５ａ）を行う。この変換処理６１５ａが行われた後の電子振込情報がＩＣカード１３０内の記録媒体に格納される。記録媒体内に格納された情報は、電子振込書の機能を有する。決済端末１４０にＩＣカード１３０を挿入すると（ステップ６１９）、電子振込書の内容に基づいて振込処理６２０が行われる。
本第１変形例では、ＩＣカード内に電子振込書の形態で情報が格納されるため、決済端末１４０における決済（振込）処理が、より簡単になるという利点がある。
【００２９】
次に、本実施の形態の第２変形例について図１を参照して説明する。上記実施の形態によれば、利用者端末として図１に示す一般的なパーソナルコンピュータＰＣを用いた。これに代えて、利用者端末として、インターネット機能を備えた携帯電話な又はＰＤＡ（Ｐｅｒｓｏｎａｌ  Ｄｉｇｉｔａｌ  Ａｓｓｉｓｔａｎｃｅ）などの携帯端末を用いても良い。この際、携帯電話又は携帯端末には、内蔵記憶装置又は半導体記憶装置用のスロットを設けておけば、これらに電子請求書や電子振込情報（電子振込書）、電子領収書などに関する情報を記憶させておくことができる。この際、携帯電話又は携帯端末には、ＰＣとＩＣカードとの両者の機能を併せ持つことになる。
【００３０】
例えば、携帯電話を例に説明すると、利用者はインターネットにより携帯電話中のメモリ内に電子請求書情報をダウンロードする。この電子請求書情報を電子振込書情報に変換し、決済端末１４０において決済を実行する。この際、決済端末１４０に無線通信機能又は半導体記憶装置用のスロットを設けておけば、携帯電話を用いて電子振込が可能になる。
【００３１】
以上、本実施の形態による各システムによれば、インターネットショッピングで銀行振込を選択した場合などにおいて、店舗から発行された振込情報を含んだ電子請求書を利用者がＩＣカードなどの記憶装置（ＩＣ）内に格納することによって、ＡＴＭ等の決済端末で振込に必要な情報を入力する必要がなく、振込を行うことが出来るという利点がある。電子振込情報を記憶媒体により保持することで、利用者が振込元の銀行を自由に選択できる他、ＩＣキャッシュカード振込による手数料の低減等の利便性が高くなる。
【００３２】
【発明の効果】
本発明によれば、インターネットショッピングで銀行振込を選択した場合、店舗から発行された振込情報を含んだ電子請求書を利用者がＩＣカード内に格納することによって、ＡＴＭ等の決済端末で振込に必要な情報を入力する必要がなく、振込を行うことが出来る。
【図面の簡単な説明】
【図１】本発明の一実施の形態による簡易決済システムの全体構成を示す図である。
【図２】本発明の一実施の形態による簡易決済システムのうち電子請求書を格納するシステム構成を示す図である。
【図３】本発明の一実施の形態による簡易決済システムのうち決済端末の構成の一例を示す図である。
【図４】本発明の一実施の形態による簡易決済システムのうち電子請求書のデータ構成を示す図である。
【図５】図５（Ａ）から（Ｆ）までは、本発明の一実施の形態による簡易決済システムのうち電子請求書をＩＣカードに格納する際に表示される画面の一例を示す図である。
【図６】本発明の一実施の形態による簡易決済システムにおける処理手順を示すフローチャートである。
【図７】本発明の一実施の形態による簡易決済システムにおける処理手順を示すフローチャートであり、図６に続く処理手順を示す図である。
【図８】本発明の一実施の形態による簡易決済システムにおける処理手順を示すフローチャートであり、図７に続く処理手順を示す図である。
【図９】本発明の一実施の形態による簡易決済システムにおける処理手順を示すフローチャートであり、図８に続く処理手順を示す図である。
【図１０】本発明の一実施の形態の第１変形例による簡易決済システムにおける処理手順を示すフローチャートである。
【符号の説明】
１００…利用者、１１０…ＰＣ、１２０…店舗（電子モール、電子モールサーバ）、１３０…ＩＣカード、１４０…決済端末、１５０…金融機関、２２３…書込み処理部、２２３ａ…変換部。
【図１】
2004171245.tif 000003
【図２】
2004171245.tif 000004
【図３】
2004171245.tif 000005
【図４】
2004171245.tif 000006
【図５】
2004171245.tif 000007
【図６】
2004171245.tif 000008
【図７】
2004171245.tif 000009
【図８】
2004171245.tif 000010
【図９】
2004171245.tif 000011
【図１０】
2004171245.tif 000012